(57)【要約】【課題】業績が変動した理由に対する示唆と、当該理由が業績の変動にどのくらい影響を与えているのかに対する示唆をリアルタイムに示すことができる情報処理装置、情報処理方法および情報処理プログラムを提供すること。【解決手段】任意の説明変数を指示する第１指示部１１と、任意の説明変数に対応する情報源を取得する取得部１２と、情報源を解析する解析部１３と、解析部１３により解析された結果に基づいて第１波形を生成する第１波形生成部１４と、任意の目的変数を指示する第２指示部１５と、任意の目的変数の波形と第１波形との関連性に基づいて第２波形を生成する第２波形生成部１６と、第２波形を表示部に出力する出力部１７とを備える。【選択図】図１
2017182363.tif 000002
【特許請求の範囲】
【請求項１】
任意の説明変数を指示する第１指示部と、
前記任意の説明変数に対応する情報源を取得する取得部と、
前記情報源を解析する解析部と、
前記解析部により解析された結果に基づいて第１波形を生成する第１波形生成部と、
任意の目的変数を指示する第２指示部と、
前記任意の目的変数の波形と前記第１波形との関連性に基づいて第２波形を生成する第２波形生成部と、
前記第２波形を表示部に出力する出力部とを備える情報処理装置。
【請求項２】
前記第２波形生成部は、前記任意の目的変数の波形の形に応じて波形を構成する点の数であるｎを決定し、前記任意の目的変数の波形のｎ点の特性と、前記第１波形のｎ点の特性とを比較し、当該比較結果に基づいて前記第２波形を生成する請求項１記載の情報処理装置。
【請求項３】
表示期間を変更する期間変更部を備え、
前記期間変更部は、変更した期間を前記取得部に出力し、
前記取得部は、前記期間変更部によって変更された期間に基づいて、前記任意の説明変数に対応する情報源を取得する請求項１記載の情報処理装置。
【請求項４】
前記第２波形生成部により生成された第２波形と、前記第２指示部により指示された前記任意の目的変数の波形とを比較し、一定条件下において、前記任意の目的変数の波形に影響を与えている任意の説明変数を抽出する抽出部を備える請求項１記載の情報処理装置。
【請求項５】
前記第２波形生成部により生成された第２波形の中から一定条件下に複数の第２波形を選択し、各第２波形の基になった第１波形に関連する任意の説明変数を求め、任意の説明変数の順位を決定する決定部を備える請求項１記載の情報処理装置。
【請求項６】
前記表示部に表示されている任意の目的変数の波形が選択された場合、任意の目的変数の波形において選択された位置を特定する特定部と、
前記第２指示部により指示された任意の目的変数に基づいて、前記特定部により特定された位置に対応する情報を生成する情報生成部とを備える請求項１記載の情報処理装置。
【請求項７】
メッセージを入力する入力部と、
前記入力部で入力されたメッセージを、任意の目的変数の波形に関連付けて日付ごとに保存する保存部と、
前記特定部により特定された位置に対応する日付のメッセージを前記保存部から読み出す読出部とを備える請求項６記載の情報処理装置。
【請求項８】
前記第１指示部は、予め定められている複数の説明変数の中から任意に一または複数の説明変数を選択することにより前記任意の説明変数を指示する、または、説明変数を入力操作することにより前記任意の説明変数を指示する請求項１記載の情報処理装置。
【請求項９】
前記第１指示部は、複数の説明変数がひとつのカテゴリにまとめられており、当該カテゴリを選択することにより前記任意の説明変数を指示する請求項８記載の情報処理装置。
【請求項１０】
前記出力部は、カテゴリが選択された場合、
カテゴリに属するすべての説明変数に基づく第２波形を前記表示部に出力する、
カテゴリに属するすべての説明変数に基づく第２波形を総和した一本の波形を前記表示部に出力する、
カテゴリに属するすべての説明変数に基づく第２波形を平均した一本の波形を前記表示部に出力する、
または、カテゴリに属するすべての説明変数に基づく第２波形を所定の計算方法によって計算し、当該計算結果から得られた一本の波形を前記表示部に出力する請求項９記載の情報処理装置。
【請求項１１】
前記第１指示部は、任意の説明変数およびカテゴリの追加、変更、削除を行う編集機能を有している請求項９記載の情報処理装置。
【請求項１２】
機械学習により説明変数を選択する選択部を備え、
前記取得部は、前記第１指示部により指示された任意の説明変数に対応する情報源と、前記選択部により選択された任意の説明変数に対応する情報源とを取得する請求項１記載の情報処理装置。
【請求項１３】
前記選択部は、所定の期間ごとに説明変数を変更する請求項１２記載の情報処理装置。
【請求項１４】
前記出力部は、前記第２波形への影響が強い前記情報源を、前記第２波形と関連付けて表示する請求項１に記載の情報処理装置。
【請求項１５】
前記情報源は、信頼度が大きい順に並んでいる請求項１３記載の情報処理装置。
【請求項１６】
前記出力部は、任意の説明変数の関連性に基づいて生成した関連図を前記表示部に表示する請求項１記載の情報処理装置。
【請求項１７】
前記出力部は、前記第１波形生成部により生成された第１波形を前記表示部に出力する請求項１記載の情報処理装置。
【請求項１８】
前記第２波形生成部は、任意の目的変数に欠損値がある場合、欠損値を含まないデータを利用して補間処理を行う請求項１記載の情報処理装置。
【請求項１９】
前記第１指示部により指示された任意の説明変数をフィルタリングするフィルタ部を備える請求項１記載の情報処理装置。
【請求項２０】
任意の説明変数を指示する第１指示工程と、
前記任意の説明変数に対応する情報源を取得する取得工程と、
前記情報源を解析する解析工程と、
前記解析工程により解析された結果に基づいて第１波形を生成する第１波形生成工程と、
任意の目的変数を指示する第２指示工程と、
前記任意の目的変数の波形と前記第１波形との関連性に基づいて第２波形を生成する第２波形生成工程と、
前記第２波形を表示部に出力する出力工程とを備える情報処理方法。
【請求項２１】
任意の説明変数を指示する第１指示工程と、
前記任意の説明変数に対応する情報源を取得する取得工程と、
前記情報源を解析する解析工程と、
前記解析工程により解析された結果に基づいて第１波形を生成する第１波形生成工程と、
任意の目的変数を指示する第２指示工程と、
前記任意の目的変数の波形と前記第１波形との関連性に基づいて第２波形を生成する第２波形生成工程と、
前記第２波形を表示部に出力する出力工程と、をコンピュータによって実現するための情報処理プログラム。
【発明の詳細な説明】
【技術分野】
【０００１】
本発明は、情報の処理を行う情報処理装置、情報処理方法および情報処理プログラムに関する。
【背景技術】
【０００２】
例えば、特許文献１には、Ｗｅｂアクセスログや商品・サービス購入ログ等に基づいてユーザの履歴情報を処理し、当該ユーザの次期トレンドとなりうるアイテムを予測するための方法及びシステム装置が提案されている。
【先行技術文献】
【特許文献】
【０００３】
【特許文献１】特開２００１−３５０８７５号公報
【発明の概要】
【発明が解決しようとする課題】
【０００４】
ところで、特許文献１に開示された方法および装置を応用しても、例えば、商品の売上や株価という業績の時間的な変動について理由を示すことは困難であり、さらに、当該理由が業績の変動にどのくらい影響を与えているのかを示すことは困難である。
【０００５】
例えば、ある商品が売れた、またはある商品が売れなかったという業績の変動が、どのような理由で生じ、さらに当該理由が業績の変動にどのくらい影響を与えているのかを示すことができれば、マーケティングなど多くの場面で役に立つ。
【０００６】
本発明では、業績が変動した理由に対する示唆と、当該理由が業績の変動にどのくらい影響を与えているのかに対する示唆をリアルタイムに示すことができる情報処理装置、情報処理方法および情報処理プログラムを提供することを目的とする。
【課題を解決するための手段】
【０００７】
上記目的を達成するために、本発明の一態様における情報処理装置は、任意の説明変数を指示する第１指示部と、前記任意の説明変数に対応する情報源を取得する取得部と、前記情報源を解析する解析部と、前記解析部により解析された結果に基づいて第１波形を生成する第１波形生成部と、任意の目的変数を指示する第２指示部と、前記任意の目的変数の波形と前記第１波形との関連性に基づいて第２波形を生成する第２波形生成部と、前記第２波形を表示部に出力する出力部とを備える。
【０００８】
本発明の一態様における情報処理方法は、任意の説明変数を指示する第１指示工程と、前記任意の説明変数に対応する情報源を取得する取得工程と、前記情報源を解析する解析工程と、前記解析工程により解析された結果に基づいて第１波形を生成する第１波形生成工程と、任意の目的変数を指示する第２指示工程と、前記任意の目的変数の波形と前記第１波形との関連性に基づいて第２波形を生成する第２波形生成工程と、前記第２波形を表示部に出力する出力工程とを備える。
【０００９】
本発明の一態様における情報処理プログラムは、任意の説明変数を指示する第１指示工程と、前記任意の説明変数に対応する情報源を取得する取得工程と、前記情報源を解析する解析工程と、前記解析工程により解析された結果に基づいて第１波形を生成する第１波形生成工程と、任意の目的変数を指示する第２指示工程と、前記任意の目的変数の波形と前記第１波形との関連性に基づいて第２波形を生成する第２波形生成工程と、前記第２波形を表示部に出力する出力工程と、をコンピュータによって実現するためのプログラムである。
【発明の効果】
【００１０】
本発明によれば、業績が変動した理由に対する示唆と、当該理由が業績の変動にどのくらい影響を与えているのかに対する示唆をリアルタイムに示すことができる。
【図面の簡単な説明】
【００１１】
【図１】情報処理装置の構成を示すブロック図である。
【図２】解析部の構成を示すブロック図である。
【図３】第１波形の一例を模式的に示す図である。
【図４】第２波形の一例を模式的に示す図である。
【図５】第１の操作画面の一例を示す図である。
【図６】第２の操作画面の一例を示す図である。
【図７】第３の操作画面の一例を示す図である。
【図８】第４の操作画面の一例を示す図である。
【図９】第５の操作画面の一例を示す図である。
【図１０】第６の操作画面の一例を示す図である。
【図１１】第７の操作画面の一例を示す図である。
【図１２】第８の操作画面の一例を示す図である。
【図１３】第９の操作画面の一例を示す図である。
【図１４】キーワードとカテゴリを編集する際の操作についての説明に供する図である。
【発明を実施するための形態】
【００１２】
以下、本発明の実施形態に係る情報処理装置、情報処理方法および情報処理プログラムについて図面を参照しながら説明する。なお、実施形態を説明する全図において、共通の構成要素には同一の符号を付し、繰り返しの説明を省略する。
【００１３】
情報処理装置１は、図１に示すように、任意の説明変数を指示する第１指示部１１と、任意の説明変数に対応する情報源を取得する取得部１２と、情報源を解析する解析部１３と、解析部１３により解析された結果に基づいて第１波形を生成する第１波形生成部１４と、任意の目的変数（以下では、ＫＰＩという）を指示する第２指示部１５と、ＫＰＩ波形と第１波形との関連性（相関や一致度など）に基づいて第２波形を生成する第２波形生成部１６と、第２波形を表示部２に出力する出力部１７とを備える。
【００１４】
第１指示部１１が指示する任意の説明変数の詳細については、後述するが、例えば、キーワードや、複数のキーワードが関連付けられているカテゴリなどが該当する。なお、任意の説明変数は、気象情報など現象であってもよい。
【００１５】
取得部１２が取得する情報源は、インターネットを介してアクセスできるソースであって、例えば、新聞社やテレビ局等が提供するＷｅｂサイトや、個人のブログや、ツイッター（登録商標）などである。また、情報源は、テキストベースのものに限られない。例えば、情報源は、画像（動画および静止画）や音等でもよい。取得部１２は、画像や音などを数値化し、数値化した情報を解析部１３に出力する。例えば、取得部１２は、任意のハッシュタグがついた画像の日々の出現投稿回数の推移を抽出することができる。
【００１６】
解析部１３は、取得した情報源に含まれている情報の定量化を行う分類器としての機能を有している。解析部１３は、図２に示すように、ノイズ除去処理部１３ａ、ワードカウント処理部１３ｂ、およびＰ／Ｎ判定部１３ｃのすべてまたは一部を備えている。
【００１７】
解析部１３の組み合わせとしては、図２（ａ）に示すように、ノイズ除去処理部１３ａ、ワードカウント処理部１３ｂ、およびＰ／Ｎ判定部１３ｃを備える形態と、図２（ｂ）に示すように、ノイズ除去処理部１３ａおよびワードカウント処理１３ｂを備える形態と、図２（ｃ）に示すように、ノイズ除去処理部１３ａおよびＰ／Ｎ判定部１３ｃを備える形態がある。
【００１８】
ノイズ除去処理部１３ａは、情報源に含まれている情報（例えば、テキスト情報）に対してノイズ除去処理を行う。ノイズ除去処理は、スパム分類、広告の分類、意味的分類などがある。
【００１９】
ワードカウント処理部１３ｂは、ノイズ除去処理部１３ａによりノイズ除去されたテキストデータをキーワード分類、またはカテゴリ分類（文章で分ける）などに分類する処理を行う。
【００２０】
Ｐ／Ｎ判定部１３ｃは、ノイズ除去処理部１３ａによりノイズ除去されたテキストデータ、または、ワードカウント処理部１３ｂにより分類されたテキストデータに対して、ポジティブであるかネガティブであるかの判定を行う。具体的には、機械学習や、大量のコーパスに基づいて、形態素解析後のテキストデータに対して、ポジティブであるかネガティブであるかの判定を行う。
【００２１】
ここで、第１波形について、図３を参照しながら説明する。第１波形生成部１４は、解析部１３により解析された結果から時間の推移を示す波形（第１波形）を生成する。第１波形は、例えば、図３に示すように、ある単語（図３に示す例では、情報Ａ１、情報Ａ２、情報Ａ３）を任意の説明変数として指定した場合における、各単語の出現回数の時間推移を示す波形である。また、第１波形生成部１４は、単語ごとの波形ではなく、複数の単語をまとめたものをひとつの第１波形として生成してもよい。
【００２２】
例えば、情報Ａ１のキーワードの個数をＷＣＡ１とし、情報Ａ２のキーワードの個数をＷＣＡ２とし、情報Ａ３のキーワードの個数をＷＣＡ３とし、・・・、情報ＡＪのキーワードの個数をＷＣＡＪとすると、第１波形は、（１）式によって示すことができる。
第１波形＝ｆｔ（ＷＣＡＪ）  ・・・（１）
【００２３】
なお、後述するように、ＫＰＩが任意の企業Ｘの株価である場合、情報Ａ１〜ＡＪは、企業Ｘに関連する商品名が含まれる場合もあるし、企業Ｘに関連しない商品名が含まれる場合もある。さらに、情報Ａ１〜ＡＪは、単語だけではなく、ある現象（例えば、気象情報）を示す場合もある。
【００２４】
また、第１波形生成部１４は、ワードカウントではなく、評判解析に基づいて第１波形を生成してもよい。例えば、取得部１２により取得した情報源に含まれる記事Ａの重みをＷａ１とし、記事Ｂの重みをＷａ２とし、記事Ｃの重みをＷａ３とし、・・・記事ｉの重みをＷａｉとし、任意の企業Ｘに対する情報Ａ１の重みをＷＡ１とし、任意の企業Ｘに対する情報Ａ２の重みをＷＡ２とし、任意の企業Ｘに対する情報Ａ３の重みをＷＡ３とし、・・・任意の企業Ｘに対する情報Ａｊの重みをＷＡｊとすると、第１波形は、（２）式によって示すことができる。
第１波形＝ｆｔ（Ｗａｉ，ＷＡｊ）  ・・・（２）
【００２５】
なお、記事Ａの重みＷａ１とは、記事Ａが含まれている情報源に対する信頼度を示す値でもよいし、当該情報源に対するリンク数でもよいし、当該リンク数に任意の係数を乗算した値でもよいし、当該情報源に対するフォロワー数でもよいし、当該フォロワー数に任意の係数を乗算した値でもよい。
【００２６】
第２指示部１５により指示されるＫＰＩとは、組織や事業、業務の目標の達成度合いを計る定量的な指標を意味し、例えば、株価、任意の商品の売上、Ｗｅｂアクセス数、来場者数、視聴率などである。また、第２指示部１５は、ＫＰＩの時系列データが入力され、ＫＰＩ波形に変換する。第２指示部１５によって変換されたＫＰＩ波形は、第２波形生成部１６と出力部１７に入力される。
【００２７】
つぎに、第２波形について、図４を参照しながら説明する。第２波形生成部１６は、多変量解析、統計的アプローチ、非線形解析または金融数学による処理（以下、所定の処理という）を用いて、ＫＰＩ波形と各第１波形との間の関連性を求める。
【００２８】
なお、第２波形生成部１６は、任意の目的変数に欠損値がある場合、欠損値を含まないデータを利用して補間処理を行う。補間処理は、欠損値を含まないデータのコピーによる補間、欠損値を含まない複数のデータの平均値を利用した補間、または、非線形的な補間を行う。また、平均値を利用した補間では、過去の複数のデータ（例えば、１０個のデータ）を単純に平均した値でもよいし、個々のデータに重みをつけて算出（加重平均法）した値でもよい。第２波形生成部１６は、欠損値に補間した値を代入して、第２波形を生成する。
【００２９】
＜一致度の求め方＞
第２波形生成部１６は、ＫＰＩ波形の形に応じて波形を構成する点の数であるｎを決定し、ＫＰＩ波形のｎ点の特性と、第１波形のｎ点の特性とを比較し、当該比較結果に基づいて第２波形を生成する。つまり、第２波形生成部１６は、ＫＰＩ波形の周期性に基づいてダイナミックにｎを決定する。
【００３０】
例えば、第２波形生成部１６は、ＫＰＩ波形の形に７日ごとの周期性があった場合、ｎを７に決定する。第２波形生成部１６は、ＫＰＩ波形の連続する７点の特性と、第１波形の連続する７点の特性とを比較する。特性とは、第一次導関数（傾き）でもよいし、第二次導関数（変曲率）でもよい。また、第２波形生成部１６は、比較結果から、一致度を求めて第２波形を生成してもよいし、相関係数を求めて第２波形を生成してもよいし、Ｐ／Ｎ判定を行って第２波形を生成してもよい。
【００３１】
さらに、第２波形生成部１６は、ＫＰＩ波形のｎ点（点Ｐ１１〜点Ｐ１ｎ）それぞれの傾きと、情報Ａ１に基づく第１波形のｎ点（点Ｐ２１〜Ｐ２ｎ）それぞれの傾きとを比較して、一致度を求め、一致度が高いと判定された第１波形の任意の複数の点Ｐ２１〜Ｐ２ｎがＫＰＩ波形の任意の複数の点Ｐ１１〜点Ｐ１ｎよりも時間的に前にあれば、情報Ａ１に基づく第１波形がＫＰＩ波形の先行指標であると判断することができる。また、一致度が高いと判定された第１波形の任意の複数の点Ｐ２１〜Ｐ２ｎがＫＰＩ波形の任意の複数の点Ｐ１１〜点Ｐ１ｎよりも時間的に後にあれば、情報Ａ１に基づく第１波形がＫＰＩ波形の遅行指標であると判断することができる。
【００３２】
第２波形生成部１６は、図４に示すように、情報Ａ１のキーワードの個数に、求めた一致度を乗算することにより第２波形を生成する。同様にして、第２波形生成部１６は、（３）式に示すように、他の情報のキーワードの個数（ＷＣ）に対して、それぞれ求めた一致度を乗算して第２波形を生成する。
第２波形＝ＷＣ×一致度  ・・・（３）
【００３３】
図４に示す例では、第２波形を２本だけ示しているが、第１指示部１１で指示された数だけ第２波形が生成される。
【００３４】
＜一致度以外＞
上述では、ＫＰＩ波形と第１波形の一致度を求める手法について説明したが、当該手法に限られない。例えば、ＫＰＩ波形と第１波形の間における相関係数を求め、他の情報のキーワードの個数（ＷＣ）に対して、それぞれ求めた相関係数を乗算して第２波形を生成してもよい。また、ＫＰＩ波形と第１波形の間においてＰ／Ｎ判定を行い、他の情報のキーワードの個数（ＷＣ）に対して、それぞれ求めたＰ／Ｎ判定の結果を乗算して第２波形を生成してもよい。
【００３５】
また、第２波形生成部１６は、（２）式で示される第１波形についても同様に、一致度や相関係数などを乗算して、ＷａｉおよびＷＡｊを時々刻々と変化させて第２波形を生成する。時々刻々と変化するＷａｉは、インターネット上で様々な情報を発信する媒体（メディア）によって評価される任意の企業ＸのＫＰＩ（例えば、株価）に影響を与える情報源の重み（ウェイト値）であるといえる。また、時々刻々と変化するＷＡｊは、インターネット上で様々な情報を発信する媒体（メディア）によって評価される任意の企業ＸのＫＰＩ（例えば、株価）に影響を与える情報（例えば、商品）の重み（ウェイト値）であるといえる。
【００３６】
上述のように構成される情報処理装置１は、ＫＰＩ波形に影響を与えていると考えられる第２波形の推移を示すことにより、業績（ＫＰＩ）が変動した理由と、当該理由が業績の変動にどのくらい影響を与えていると考えられるのかをリアルタイムに示すことができる。
【００３７】
また、第１指示部１１は、予め定められている複数の説明変数の中から任意に一または複数の説明変数を選択することにより任意の説明変数を指示する、または、説明変数を入力操作することにより任意の説明変数を指示する構成でもよい。
【００３８】
具体的には、後述する図９に示す画面において、キーワード・カテゴリ選択項目１２０で一または複数のキーワードまたはカテゴリを選択することができる。
【００３９】
よって、情報処理装置１は、ＫＰＩ波形に影響を与えている複数の第２波形の推移を示すことにより、業績（ＫＰＩ）が変動した理由と、当該理由が業績の変動にどのくらい影響を与えているのかをリアルタイムに示すことができる。
【００４０】
また、第１指示部１１は、複数の説明変数がひとつのカテゴリにまとめられており、当該カテゴリを選択することにより任意の説明変数を指示する構成でもよい。
【００４１】
カテゴリとは、複数の説明変数に共通する概念やルールなどを示すものである。また、カテゴリは、任意の説明変数をユーザが自由に組み合わせて作成できてもよいし、シソーラス（類語辞典）に基づいて、複数の説明変数が組み合わされて作成されてもよい。
【００４２】
例えば、個々の説明変数ではＫＰＩに対する影響が小さくても、当該説明変数を含むカテゴリではＫＰＩに対する影響が大きい場合がある。このような場合には、個々の説明変数を選択するよりも、カテゴリを選択した方が効率的になる。
【００４３】
なお、本実施例においては、ある説明変数がＫＰＩと相関があり、当該説明変数がＫＰＩの変化に対して、無視できない動きをしているときに、「当該説明変数はＫＰＩに対して影響が大きい」などと表現する。よって、本実施例において使用する「影響」という文言は、実際に、ある説明変数がＫＰＩの変化に力を及ぼしていることを意味していない。
【００４４】
ここで、情報処理装置１の動作について説明する。ユーザは、例えば、ＳａａＳ（Ｓｏｆｔｗａｒｅ  ａｓ  ａ  Ｓｅｒｖｉｃｅ）によって提供されるソフトウエアにおいて、所定の操作（ログインの操作）を行うことにより、図５に示す画面（以下、ログイン後画面という）が表示される。
【００４５】
ログイン後画面は、所定のロゴとプロジェクト名が表示される項目１０１と、ＫＰＩのタブとから構成されている。図５に示す例では、２種類のＫＰＩが入力されている場合を示している。ＫＰＩ（売上）タブ１０２は、ある商品または店舗の売上のＫＰＩが入力されているタブである。ＫＰＩ（会員数）タブ１０３は、ある会社の会員数のＫＰＩが入力されているタブである。図５では、ＫＰＩ（売上）タブ１０２が選択されている場合を示している。なお、ＫＰＩ（売上）やＫＰＩ（会員数）というタブの名称は、ユーザが自由に変更することができる。
【００４６】
ＫＰＩ（売上）タブ１０２には、複数のビューがサブメニューとして配置されている。各ビューは、ダッシュボード１０４と、ＫＰＩ（売上）１０５と、センチメント１０６と、キーワード出現回数１０７と、キーワード編集１０８とがあるが、これに限られない。
【００４７】
ダッシュボード１０４には、各ビューをサマリーしたポータルとして可動パーツ（ウィジェット）を選択表示することができる。各ウィジェットは、ＫＰＩ（売上）１０５、センチメント１０６、キーワード出現回数１０７の各ビューへのショートカットである。
【００４８】
＜表示期間変更機能＞
情報処理装置１は、図１に示すように、表示期間を変更する期間変更部１８を備える。期間変更部１８は、変更した期間を取得部１２に出力する。取得部１２は、期間変更部１８によって変更された期間に基づいて、任意の説明変数に対応する情報源を取得する。
【００４９】
具体的には、ダッシュボード１０４は、表示期間変更機能１０９を有している。表示期間変更機能１０９は、表示期間を変更することにより、ＫＰＩ（売上）１０５、センチメント１０６およびキーワード出現回数１０７の各表示期間を一括で変更することができる。例えば、表示期間の開始日は固定でよいが、終了日は毎日、前日の日付へと更新されるようにしてもよい。また、期間選択のカレンダー下に、「直近７日間」、「直近３０日間」を選択するリンクを配置してもよい。
【００５０】
ダッシュボード１０４は、ロゴ１１０（以下、センチメンター１１０という）が表示される。センチメンター１１０は、第１指示部１１で指示された複数の任意の説明変数によって、ＫＰＩが説明できているかどうかを示す指標である。センチメンター１１０は、説明ができているかどうかによって、形、色、動きなどが変化する。ユーザは、センチメンター１１０をみるだけでＫＰＩと複数の任意の説明変数との関係性（ＫＰＩ説明率）を評価することができる。また、ユーザには、ＫＰＩ説明率が高くなるように、日々複数の任意の説明変数を選ぶことが期待される。
【００５１】
＜テキスト表示機能＞
情報処理装置１は、図１に示すように、第２波形生成部１６により生成された第２波形と、第２指示部１５により指示された任意の目的変数の波形（ＫＰＩ波形）とを比較し、一定条件下において、ＫＰＩ波形に影響を与えている任意の説明変数（例えば、キーワード）を抽出する抽出部１９を備える。抽出部１９で抽出されたキーワードは、出力部１７に入力される。なお、上述したように、「影響」という文言は、実際に、あるキーワードがＫＰＩ波形の変化に力を及ぼしていることを意味していない。
【００５２】
例えば、抽出部１９は、選択されているすべてのキーワードにおいて、前日のセンチメントスコアと本日のセンチメントスコアを比較し、上昇率が一番大きかったキーワード、上昇率が一番小さかったキーワード、下降率が一番大きかったキーワード、または、下降率が一番大きかったキーワードを抽出する。また、抽出部１９は、選択されているすべてのキーワードにおいて、本日のセンチメントスコアを比較し、スコアが一番大きかったキーワード、またはスコアが一番小さかったキーワードを抽出する。
【００５３】
具体的には、ダッシュボード１０４は、抽出部１９によって抽出された任意の説明変数を表示するテキスト表示機能１１１を有している。テキスト表示機能１１１は、複数の任意の説明変数の中において、前日比で最もＫＰＩに影響を与えている説明変数を表示する。例えば、テキスト表示機能１１１には、「前日比で最も上昇したキーワードはビアガーデンです」などと表示される。なお、表示される説明変数は、ユーザが直接指示（選択または入力）した説明変数でもよいし、日々自動的に選ばれた説明変数でもよい。
【００５４】
さらに、テキスト表示機能１１１は、抽出部１９により抽出されているすべてのキーワード（例えば、上昇率が一番大きかったキーワード、上昇率が一番小さかったキーワード、下降率が一番大きかったキーワード、下降率が一番大きかったキーワード、
本日のセンチメントスコアが一番大きかったキーワード、および、本日のセンチメントスコアが一番小さかったキーワード）を順次表示する形態でもよいし、更新される度に異なるキーワードを表示する形態でもよい。
【００５５】
ダッシュボード１０４は、任意の説明変数であるキーワードの影響を表示するキーワード影響表示項目１１２と、ＫＰＩのサマリーを表示するＫＰＩサマリー表示項目１１３と、ＫＰＩの推移を表示するＫＰＩ推移表示項目１１４と、センチメント（上述した図４に示す第２波形）を表示するセンチメント表示項目１１５と、キーワードの出現回数（上述した図３に示す第１波形）を表示するキーワード出現回数表示項目１１６とが配置される。なお、上述は、ダッシュボード１０４に表示される項目の一例を示しただけである。よって、ダッシュボード１０４には、上述した項目の一部のみが配置されてもよいし、上述した項目以外の項目が配置されてもよい。また、以下では、第２波形をセンチメントまたはセンチメントスコアと呼ぶことがある。
【００５６】
＜キーワードの影響＞
情報処理装置１は、図１に示すように、第２波形生成部１６により生成された第２波形の中から一定条件下に複数の第２波形を選択し、各第２波形の基になった第１波形に関連する任意の説明変数を求め、任意の説明変数の順位を決定する決定部２０を備える。決定部２０は、決定した任意の説明変数の順位を出力部１７に入力する。例えば、決定部２０は、センチメントスコアが高い第２波形を１０個選択し、各第２波形の基になった第１波形に関連するキーワードを求め、キーワードの順位を決定する。また、決定部２０は、センチメントスコアの上昇率が高い第２波形を１０個選択し、各第２波形の基になった第１波形に関連するキーワードを求め、キーワードの順位を決定する。また、決定部２０は、センチメントスコアの下降率が高い第２波形を１０個選択し、各第２波形の基になった第１波形に関連するキーワードを求め、キーワードの順位を決定する。
【００５７】
具体的には、キーワード影響表示項目１１２は、所定期間において、センチメントスコアが高いキーワード（例えば、上位１０個）を表示するグラフ１１２ａと、所定期間において、センチメントスコアの上昇率が高いキーワード（例えば、上位１０個）を表示するグラフ１１２ｂと、所定期間において、センチメントスコアの下降率が高いキーワード（例えば、上位１０個）を表示するグラフ１１２ｃとから構成される。なお、所定期間は、例えば、直近１ヶ月、または直近１週間などである。
【００５８】
また、キーワード影響表示項目１１２は、初回ログイン時において、３つのグラフには何も表示せず、「表示するデータはありません」などのメッセージを表示してもよい。また、初回ログイン時には、テキスト表示機能１１１において、例えば、「ＫＰＩとキーワードを入力もしくはアップロードしてセンチメント分析をスタートしましょう」などのメッセージを表示してもよい。
【００５９】
また、キーワード影響表示項目１１２における編集ボタン１１２ｄを操作して編集ウィジットを表示することができる。編集ウィジットを利用することにより、表示形態の変更（例えば、棒グラフを円グラフに変更）、表示期間の変更（例えば、直近１週間を直近１ヶ月に変更）、各グラフをそのまま画像としてダウンロード、および、各グラフをＣＳＶ形式でダウンロードすることができる。
【００６０】
ＫＰＩサマリー表示項目１１３は、目標達成率、前日比、前週（７日間）比、前月（３０日間）比、ＫＰＩ説明率、目標達成率の前月（３０日間）比、同表示期間（３０日間）比、表示期間平均とが表示される。ＫＰＩサマリー表示項目１１３は、値を出せないときには、「−−−．−−％」などの表示を行う。なお、各項目の並び順の変更も可能である。
【００６１】
＜ＫＰＩ（売上）＞
つぎに、サブメニューにおいて、ＫＰＩ（売上）１０５を選択した場合の表示画面について、図６を用いて説明する。ＫＰＩ（売上）１０５は、ＫＰＩ（売上）表示項目１１７と、集計表表示項目１１８とにより構成されている。ＫＰＩ（売上）表示項目１１７は、第２指示部１５によって指示したＫＰＩを表示する項目である。
【００６２】
情報処理装置１は、図１に示すように、表示部２に表示されているＫＰＩ波形のどこかが選択された場合、ＫＰＩ波形上の選択された位置（例えば、日付）を特定する特定部２１と、第２指示部１５により指示されたＫＰＩに基づいて、特定部２１により特定された位置（例えば、日付）に対応する情報を生成する情報生成部２２とを備える。情報生成部２２は、生成した情報を出力部１７に出力する。
【００６３】
具体的には、図６に示すように、ＫＰＩとして、任意の企業Ｘの株価が表示されている例を示している。ここで、ＫＰＩ波形のどこかをマウスで選択（表示部２がタッチパネル式の場合には、指で選択）すると、選択された日付に対応する情報を読み出して、詳細情報１１７ａがポップアップで表示される。例えば、詳細情報１１７ａには、「プロジェクト１  企業Ｘ株価（円）  ２０１４／６／２８（ＳＡＴ）  ３，６９５」などと表示される。表示期間変更機能１０９により表示期間を変更すると、当該変更に応じて、ＫＰＩ（売上）表示項目１１７の横軸が変更される。
【００６４】
ＫＰＩ（売上）表示項目１１７における編集ボタン１１７ｂを操作して編集ウィジットを表示することができる。編集ウィジットを利用することにより、グラフの色の変更、グラフの表示範囲の変更、縦軸と横軸の範囲の変更、対数軸への変更、グラフをそのまま画像としてダウンロード、および、グラフをＣＳＶ形式でダウンロードすることができる。
【００６５】
また、ＫＰＩ（売上）表示項目１１７は、ＫＰＩ波形とともに目標達成率の折れ線グラフも２軸で表示する構成でもよい。当該構成の場合には、表示期間中に1日でも目標値が入力されていれば、目標達成率の折れ線グラフを出現させる構成でもよい。また、表示期間中に１日も目標値が入力されていない場合には、目標達成率の折れ線グラフを表示しない構成でもよい。また、対数軸を選んでも２軸の目標達成率グラフは変わらない。また、編集ウィジットにおいて、目標達成率の非表示を選択できてもよい。
【００６６】
また、ＫＰＩ（売上）入力／編集１１７ｃを操作することにより、ＫＰＩの入力や編集を行うことができる。例えば、ＫＰＩ（売上）入力／編集１１７ｃを操作することにより、現在表示されるＫＰＩを他のＫＰＩに変更することができる。
【００６７】
＜日付メモ機能＞
情報処理装置１は、図１に示すように、メッセージを入力する入力部２３と、入力部２３で入力されたメッセージを、任意の目的変数の波形（ＫＰＩ波形）に関連付けて日付ごとに保存する保存部２４と、特定部２１により特定された位置に対応する日付のメッセージを保存部２４から読み出す読出部２５とを備える。読出部２５は、読み出したメッセージを出力部１７に出力する。
【００６８】
具体的には、ＫＰＩ（売上）表示項目１１７には、日付メモ機能とコメント機能を追加することができる。日付メモ機能は、各ビューのグラフ下部から日付ごとに入力し、また、共有することができる機能であり、各ビューの時系列グラフで共通するものである。
【００６９】
また、ＫＰＩが入力されていない場合には、図７に示すような画面が表示される。この場合には、ＫＰＩを入力する必要がある。そこで、ＫＰＩのファイルを選択して入力する場合には、ボタン１１７ｄを操作して当該ファイルを選択し、ＫＰＩを入力する。また、ＫＰＩが入力されたファイルをエリア１１７ｅに直接ドロップ操作することによりＫＰＩを入力する。
【００７０】
また、表１１７ｆは、図７においては、日付とＫＰＩの項目を示したが、他の項目が追加されてもよい。また、表１１７ｆは、日付は降順で示し、１ページあたり３０日分が表示され、特に、初回ログイン時には昨日から最大過去１８０日間（６ページ分）遡れる構成でもよい。また、保存せずにページ遷移をしようとした場合、確認ポップを表示してもよい。また、保存すると、「分析更新」ボタン（不図示）を操作できるようにしてもよい。また、
【００７１】
また、ユーザーインターフェイス（ＵＩ）は、表１１７ｆではなく、図８に示すように、カレンダー１１７ｇでもよい。カレンダー１１７ｇの各項目は、例えば、日付、ＫＰＩ、目標値、メモの順番で表示されてもよい。
【００７２】
また、日付をクリックすると吹き出し１１７ｈがポップアップで表示される。吹き出し１１７ｈには、ＫＰＩ、目標値、メモを入力することができる。吹き出し１１７ｈの保存を選択すると、入力された内容が保存されて、カレンダー１１７ｇの該当する日付の項目に反映される。また、ＫＰＩが未入力の日がある場合には、該当する日付の項目をハイライトなどで強調的に表示してもよい。また、利用している当日（今日）と前日（昨日）は、日付横に明記するとともに、枠色をつけるなどして視覚的に気づきやすくしてもよい。
【００７３】
＜集計表＞
集計表表示項目１１８には、図６に示すように、集計表が表示される項目である。集計表には、ＫＰＩ波形の元になったＫＰＩの時系列データが入力されている。また、集計表では、大きなデータや小さなデータが一目で認識できるようになっている。例えば、ヒートマップ機能を利用して、数値が大きいデータが入力されている項目ほど背景色を濃くし、数値が小さいデータが入力されている項目ほど背景色を薄くする。集計表の横軸は、例えば、センチメントやキーワード出現回数と同様に時系列で構成され、クリック操作により展開表示や折り畳み表示を行うことができる。時系列は、例えば、累計（暦年をまたぐ総合計）、暦年、四半期（１〜３月、４〜６月、７〜９月、１０〜１２月）、月、日などが選択できる。集計表の縦軸は、例えば、目標値、ＫＰＩ（ラベル名）、目標達成率から構成される。
【００７４】
つぎに、サブメニューにおいて、センチメント１０６を選択した場合の表示画面について、図９から図１１を用いて説明する。センチメント１０６は、ＫＰＩ（売上）表示項目１１７と、センチメント表示項目１１５と、ソース一覧表示項目１１９と、キーワード・カテゴリ選択項目１２０とにより構成されている。ソース一覧表示項目１１９は、集計表１１９ａ、情報源１１９ｂおよびキーワード関連図１１９ｃで構成されている。
【００７５】
＜キーワード・カテゴリ＞
キーワード・カテゴリ選択項目１２０は、第１指示部１１に相当し、キーワードやカテゴリを選択することができる項目である。なお、キーワード・カテゴリ選択項目１２０は、開閉ボタン１２０ａを操作することにより開閉することができる。デフォルトでは開状態にしておく。閉状態にするとＫＰＩ（売上）表示項目１１７などに表示されているグラフの横幅を広げて閲覧することができる。また、キーワード編集ボタン１２０ｂを選択することにより、キーワードおよびカテゴリの追加、変更、削除などの編集を行うことができる。
【００７６】
キーワードとは、例えば、商品名、人名、用語などが該当する。例えば、キーワードは、７０語表示されるものとするが７０語に限られない。キーワードが並ぶ順番は、例えば、ＫＰＩに対する影響が大きい順にソートされていてもよい。キーワードは、予め用意されていてもよいし、ユーザが自由に入力して登録できてもよい。
【００７７】
＜キーワード・カテゴリの自動入力機能＞
情報処理装置１は、機械学習により説明変数を選択する選択部２６を備える。取得部２５は、第１指示部１１により指示された任意の説明変数に対応する情報源と、選択部２６により選択された任意の説明変数に対応する情報源とを取得する。また、選択部２６は、所定の期間ごとに説明変数を変更する構成でもよい。
【００７８】
例えば、キーワードを７０個選ぶ場合には、ユーザは、任意にキーワードを選択または入力することによって４０個指定し、残りの３０個は、ＫＰＩに影響を与えそうなキーワードを機械学習により指定するような構成でもよい。当該構成の場合、機械学習によって指定される３０個は、所定の期間ごとに順次選びなおされてもよい。
【００７９】
カテゴリとは、複数のキーワードに共通する概念やルールなどを示すものである。また、カテゴリは、任意のキーワードをユーザが自由に組み合わせて作成できてもよいし、シソーラス（類語辞典）に基づいて、複数のキーワードが組み合わされて作成されてもよい。例えば、個々のキーワードではＫＰＩに対する影響が小さくても、当該キーワードを含むカテゴリではＫＰＩに対する影響が大きい場合がある。このような場合には、個々のキーワードを選択するよりも、カテゴリを選択した方が効率的である。
【００８０】
キーワード・カテゴリ選択項目１２０において、キーワードが選択された場合、当該キーワードの第２波形（センチメント）がセンチメント表示項目１１５に表示される。
【００８１】
キーワード・カテゴリ選択項目１２０において、「すべて」が選択された場合、キーワード・カテゴリ選択項目１２０に表示されているすべてのキーワードおよびカテゴリが選択され、選択されたキーワードおよびカテゴリの第２波形（センチメント）がセンチメント表示項目１１５に表示される。また、キーワードがひとつも選択されていない場合には、センチメント表示項目１１５には第２波形（センチメント）が表示されない。
【００８２】
また、キーワードごとに異なる色が指定されており、第２波形は、キーワードの色と同じ色で表示されている構成でもよい。当該構成によれば、どのキーワードがどの第２波形に対応しているのかを一見して把握しやすくなるメリットがある。
【００８３】
また、カテゴリごとに系統色を決めても良い。例えば、「カテゴリ：銘柄」は、青系統の色で指定し、「カテゴリ：季節」は、赤系統の色で指定する。
【００８４】
＜カテゴリが選択された場合の表示方法＞
出力部１７は、カテゴリが選択された場合、カテゴリに属するすべての説明変数に基づく第２波形を表示部２に出力する、カテゴリに属するすべての説明変数に基づく第２波形を総和した一本の波形を表示部２に出力する、カテゴリに属するすべての説明変数に基づく第２波形を平均した一本の波形を表示部２に出力する、または、カテゴリに属するすべての説明変数に基づく第２波形を所定の計算方法によって計算し、当該計算結果から得られた一本の波形を表示部２に出力する構成でもよい。
【００８５】
具体的には、キーワード・カテゴリ選択項目１２０において、カテゴリが選択された場合、カテゴリに属するキーワードの第２波形（センチメント）すべてがセンチメント表示項目１１５に表示される構成でもよいし、カテゴリに属するキーワードの第２波形（センチメント）を総和した一本の波形がセンチメント表示項目１１５に表示される構成でもよいし、カテゴリに属するキーワードの第２波形（センチメント）を平均した一本の波形がセンチメント表示項目１１５に表示される構成でもよいし、カテゴリに属するキーワードの第２波形（センチメント）を所定の計算方法によって計算し、当該計算結果から得られた一本の波形がセンチメント表示項目１１５に表示される構成でもよい。
【００８６】
＜情報源等の表示＞
また、センチメント表示項目１１５において、第２波形の任意の場所をマウスで選択（表示部２がタッチパネル式の場合には、指で選択）した場合、図９に示すように、吹き出し１１５ａがポップアップで表示される。吹き出し１１５ａには、第２波形の元になったキーワードや日時などの情報（例えば、「商品名Ａ１  ２０１４／６／２８（ｓａｔ）  調整済みセンチメント  ７０」）が表示される。
【００８７】
出力部１７は、第２波形への影響が強い情報源を、第２波形と関連付けて表示する構成でもよい。例えば、ユーザは、第２波形の変化について、その根拠を知りたいと思った場合には、所定の操作を行うことにより、第２波形に関連付けてその情報源を表示することができる。このようにして、当該情報源の詳細情報が瞬時に得られることにより、ユーザは、第２波形の変化の原因を知ることができる。
【００８８】
具体的には、吹き出し１１５ａには、複数のメニューが選択可能に表示される。メニューは、例えば、「所属カテゴリのみ表示」、「関連キーワードのみ表示」、「情報源の表示」、「キーワード関連図の表示」および「グラフから除外」である。
【００８９】
センチメント表示項目１１５は、「所属カテゴリのみ表示」が選ばれた場合、選択された第２波形のキーワードが所属するカテゴリのみを表示する。例えば、現在、センチメント表示項目１１５に、商品名Ａ１の第２波形、商品名Ａ２の第２波形、商品名Ａ５の第２波形、商品名Ｂ１の第２波形、商品名Ｂ５の第２波形が表示されている場合において、商品名Ａ１の第２波形を選択した場合、商品名Ａ１が属するカテゴリである商品名Ａ１の第２波形、商品名Ａ２の第２波形、商品名Ａ２の第２波形、商品名Ａ３の第２波形、商品名Ａ４の第２波形および商品名Ａ５の第２波形のみが表示される。
【００９０】
また、センチメント表示項目１１５は、「関連キーワードのみ表示」が選ばれた場合、選択された第２波形のキーワードに関連するキーワードの第２波形のみを表示する。
【００９１】
また、ソース一覧表示項目１１９は、「情報源の表示」が選ばれた場合、選択された第２波形のキーワードの情報源を表示する。ソース一覧表示項目１１９は、「キーワード関連図の表示」が選ばれた場合、キーワード関連図を表示する。キーワード関連図とは、キーワード同士の関連性を距離などで示す図である。
【００９２】
また、センチメント表示項目１１５は、「グラフから除外」が選ばれた場合、選択された第２波形を表示対象から除外する。
【００９３】
また、選択箇所は、一箇所に限らず、複数個所選択できてもよい。複数個所選択した場合には、吹き出し１１５ａには、上述したメニューのみが表示されてもよい。
【００９４】
集計表１１９ａは、図９に示すように、センチメント表示項目１１５に表示されている第２波形のキーワードを一日単位で集計した結果を示す表である。グラフ表示期間のデータは、ＣＳＶ形式でダウンロードすることができる。
【００９５】
＜情報源＞
情報源１１９ｂは、図１０に示すように、センチメント表示項目１１５に表示されている第２波形のキーワードを抽出した情報源である。情報源は、本文と、取得日時と、情報源の信頼度から構成されている。なお、情報源は、信頼度（例えば、フォロワー数など）の大きい順に並んでいる。また、本文は、所定文字数（例えば、１４０文字）まで表示し、それ以上閲覧したい場合には、「もっと見る」をクリックすることにより、前文を表示する構成でもよい。
【００９６】
例えば、ユーザは、センチメント表示項目１１５に表示されている第２波形の変化について、その根拠を知りたいと思った場合、第２波形の変化している場所をマウスなどで選択する（表示部２がタッチパネル式の場合には、指で選択する）。当該選択付近に表示される吹き出し１１５ａの「情報源の表示」を選択すると、同じ画面の下方に配置されている情報源１１９ｂに第２波形のキーワードの情報源の詳細情報が表示される。ユーザは、情報源１１９ｂを閲覧することにより、変化の根拠を知ることができる。
【００９７】
＜キーワード関連図＞
出力部１７は、任意の説明変数の関連性に基づいて生成した関連図を表示部２に表示する。具体的には、キーワード関連図１１９ｃは、選択されたキーワードと、当該キーワードに関連するキーワードとの距離などを示す。
【００９８】
例えば、キーワード関連図１１９ｃは、ＴＦ（Ｔｅｒｍ  Ｆｒｅｑｕｅｎｃｙ）−ＩＤＦ（Ｉｎｖｅｒｓｅ  Ｄｏｃｕｍｅｎｔ  Ｆｒｅｑｕｅｎｃｙ）などによりキーワード間の関連度や類似度を計算し、当該計算に基づいてキーワード関連図を生成する。また、キーワード関連図１１９ｃは、選択されたキーワードを主ワードとして中心に関連図を生成する。円の大きさは、出現頻度に基づいて計算してもよい。線の長さは、Ｃｏｓ類似度により計算してもよい。
【００９９】
なお、上述では、キーワード同士の関連図について説明したがこれに限られず、カテゴリ同士の関連図でもよいし、キーワードとカテゴリとの間の関連図でもよい。
【０１００】
＜キーワード出現回数＞
つぎに、サブメニューにおいて、キーワード出現回数１０７を選択した場合の表示画面について、図１２を用いて説明する。キーワード出現回数１０７は、キーワード出現回数表示項目１１６と、ソース一覧表示項目１１９と、キーワード・カテゴリ選択項目１２０とにより構成されている。ソース一覧表示項目１１９は、集計表１１９ａ、情報源１１９ｂおよびキーワード関連図１１９ｃで構成されている。
【０１０１】
出力部１７は、第１波形生成部１４により生成された第１波形を表示部２に出力する。具体的には、キーワード出現回数表示項目１１６には、キーワードの出現回数（上述した図３に示す第１波形）が表示される。
【０１０２】
また、キーワードごとに異なる色が指定されており、第１波形は、キーワードの色と同じ色で表示されている構成でもよい。当該構成によれば、どのキーワードがどの第１波形に対応しているのかを一見して把握しやすくなるメリットがある。
【０１０３】
また、カテゴリごとに系統色を決めても良い。例えば、「カテゴリ：銘柄」は、青系統の色で指定し、「カテゴリ：季節」は、赤系統の色で指定する。
【０１０４】
また、キーワード出現回数表示項目１１６における編集ボタン１１６ｂを操作して編集ウィジットを表示することができる。編集ウィジットを利用することにより、グラフ（波形）の色の変更、縦軸と横軸の範囲の変更、対数軸への変更、各グラフをそのまま画像としてダウンロード、および、各グラフをＣＳＶ形式でダウンロードすることができる。
【０１０５】
また、キーワード出現回数表示項目１１６において、第１波形の任意の場所をマウスで選択（表示部２がタッチパネル式の場合には、指で選択）した場合、図１２に示すように、吹き出し１１６ｂがポップアップで表示される。吹き出し１１６ｂには、第１波形の元になったキーワードや出現回数などの情報（例えば、「商品名Ａ１  出現回数：５０  ２０１５／５／２０（ｗｅｄ）」）が表示される。
【０１０６】
また、吹き出し１１６ｂには、複数のメニューが選択可能に表示される。メニューは、例えば、「所属カテゴリのみ表示」、「関連キーワードのみ表示」、「情報源の表示」、「キーワード関連図の表示」および「キーワードを除外」である。
【０１０７】
キーワード出現回数表示項目１１６は、「所属カテゴリのみ表示」が選ばれた場合、選択された第１波形のキーワードが所属するカテゴリのみを表示する。キーワード出現回数表示項目１１６は、「関連キーワードのみ表示」が選ばれた場合、選択された第１波形のキーワードに関連するキーワードの第１波形のみを表示する。
【０１０８】
また、ソース一覧表示項目１１９は、「情報源の表示」が選ばれた場合、選択された第１波形のキーワードの情報源を表示する。ソース一覧表示項目１１９は、「キーワード関連図の表示」が選ばれた場合、キーワード関連図を表示する。キーワード関連図とは、キーワード同士の関連性を距離などで示す図である。
【０１０９】
また、キーワード出現回数表示項目１１６は、「グラフから除外」が選ばれた場合、選択された第１波形を表示対象から除外する。
【０１１０】
＜キーワード編集＞
情報処理装置１は、図１に示すように、第１指示部１１により指示された任意の説明変数をフィルタリングするフィルタ部２７を備える。
【０１１１】
フィルタ部２７は、処理の対象になるキーワードが登録されているホワイトリストや、処理の対象にならないキーワードが登録されているブラックリストを有している。フィルタ部２７は、第１指示部１１によりキーワードが指示されたときに、ホワイトリストやブラックリストを参照して、処理の対象になるキーワードを通過させる。フィルタ部２７を通過したキーワードは、取得部１２に入力される。
【０１１２】
また、フィルタ部２７は、第１指示部１１により指示されたキーワードが有意義な情報の取得が困難なものである場合に、処理の対象としないための登録リストを有している。この登録リストは、所定の文字数以下であることや特定の文字が連続する等の要件によって定めてもよいし、キーワードの出現回数やその推移の特徴値から抽出することもできる。フィルタ部２７は、第１指示部１１によりキーワードが指示されたときに、キーワードの文字数が所定の文字数以下の場合など所定の要件を満たすときに、登録リストを参照し、処理の対象になるキーワードを通過させる。フィルタ部２７を通過したキーワードは、取得部１２に入力される。
【０１１３】
上述したホワイトリスト、ブラックリストおよび登録リストは、キーワードの追加、変更、削除などの編集が可能である。また、フィルタ部２７を通過したキーワードは、キーワード・カテゴリ選択項目１２０に登録される。
【０１１４】
ここで、サブメニューにおいて、キーワード編集１０８を選択した場合の表示画面について、図１３および図１４を用いて説明する。キーワード編集１０８では、キーワードおよびカテゴリの追加、変更、削除などの編集を行うことができる。
【０１１５】
キーワードとカテゴリを編集する手段は複数ある。例えば、ボタン１０８ａを操作してキーワードが入力されたファイルを選択することによりキーワードを入力する。また、キーワードが入力されたファイルをエリア１０８ｂに直接ドロップ操作することによりキーワードを入力する。なお、ファイル形式は、ＣＳＶ形式とするが、これに限られない。また、キーワードは、７０語まで登録できるものとするが、７０語に限られない。
【０１１６】
また、カテゴリを入力窓１０８ｃに入力し、キーワードを入力窓１０８ｄに入力して、登録ボタン１０８ｅを選択することにより、キーワードとカテゴリの編集を行ってもよい。なお、登録ボタン１０８ｅを選択したときに、上述したフィルタ部２７によるキーワードのフィルタリングが行われる。
【０１１７】
上述のように入力されたカテゴリとキーワードは、図９等に示す、キーワード・カテゴリ選択項目１２０に反映される。
【０１１８】
ここで、キーワードとカテゴリの編集の具体例について、図１４を参照しながら説明する。以下では、すでに６つのキーワードが登録されているものとする。
【０１１９】
カテゴリに「銘柄」を入力し、当該カテゴリに属するキーワードに「商品名Ａ１」を入力する。
【０１２０】
また、「共起または共起除外ワードを追加」を選択することにより、入力したキーワードに対して共起キーワードと除外する共起キーワードを指定することができる。図１４に示す例では、共起ワードとして「ＸＸＸ」が指定され、除外する共起ワードとして「ＹＹＹ」が指定されている。
【０１２１】
また、キーワード編集１０８は、編集作業中においては、一定時間が経過すると入力されている内容を自動保存する機能を有している。自動保存した場合には、自動保存した年月日と時間を表示する。
【０１２２】
また、「前に戻す」を選択すると、例えば、５世代にまでに遡って編集状態を選択することができる。
【０１２３】
また、本実施例では、主に、業績が変動した理由と、当該理由が業績の変動にどのくらい影響を与えているのかをリアルタイムに示すための情報処理装置１の構成と動作について説明したが、これに限られず、各構成要素を備え、業績が変動した理由と、当該理由が業績の変動にどのくらい影響を与えているのかをリアルタイムに示すための方法、およびプログラムとして構成されてもよい。
【０１２４】
さらに、情報処理装置１を構成する各機能を実現するためのプログラムをコンピュータで読み取り可能な記録媒体に記録して、この記録媒体に記録されたプログラムをコンピュータシステムに読み込ませ、実行することによって実現してもよい。
【０１２５】
具体的には、当該プログラムは、情報処理プログラムであって、任意の説明変数を指示する第１指示工程と、任意の説明変数に対応する情報源を取得する取得工程と、情報源を解析する解析工程と、解析工程により解析された結果に基づいて第１波形を生成する第１波形生成工程と、任意の目的変数を指示する第２指示工程と、任意の目的変数の波形と第１波形との関連性に基づいて第２波形を生成する第２波形生成工程と、第２波形を表示部２に出力する出力工程とをコンピュータによって実現するためのプログラムである。
【０１２６】
さらに、ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２７】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【０１２８】
１  情報処理装置、１１  第１指示部、１２  取得部、１３  解析部、１３ａ  ノイズ除去処理部、１３ｂ  ワードカウント処理部、１３ｃ  Ｐ／Ｎ判定部、１４  第１波形生成部、１５  第２指示部、１６  第２波形生成部、１７  出力部、１８  期間変更部、１９  抽出部、２０  決定部、２１  特定部、２２  情報生成部、２３  入力部、２４  保存部、２５  読出部、２６  選択部、２７  フィルタ部、１０１  第１項目、１０２  ＫＰＩ（売上）タブ、１０３  ＫＰＩ（会員数）タブ、１０４  ダッシュボード、１０５  ＫＰＩ（売上）、１０６  センチメント、１０７  キーワード出現回数、１０８  キーワード編集、１０８ａ，１１７ｄ  ボタン、１０８ｂ，１１７ｅ  エリア、１０８ｃ，１０８ｄ  入力窓、１０８ｅ  登録ボタン、１０９  表示期間変更機能、１１０  ロゴ、１１１  テキスト表示機能、１１２  キーワード影響表示項目、１１２ａ，１１２ｂ，１１２ｃ  グラフ、１１３  ＫＰＩサマリー表示項目、１１４  ＫＰＩ推移表示項目、１１５  センチメント表示項目、１１５ａ，１１７ｈ  吹き出し、１１６  キーワード出現回数表示項目、１１７  ＫＰＩ（売上）表示項目、１１７ａ  詳細情報、１１７ｂ  編集ボタン、１１７ｃ  ＫＰＩ（売上）入力／編集、１１７ｆ  表、１１７ｇ  カレンダー、１１８  集計表表示項目、１１９  ソース一覧表示項目、１１９ａ  集計表、１１９ｂ  情報源、１１９ｃ  キーワード関連図、１２０  キーワード・カテゴリ選択項目、１２０ａ  開閉ボタン、１２０ｂ  キーワード編集ボタン。
【図１】
2017182363.tif 000003
【図２】
2017182363.tif 000004
【図３】
2017182363.tif 000005
【図４】
2017182363.tif 000006
【図５】
2017182363.tif 000007
【図６】
2017182363.tif 000008
【図７】
2017182363.tif 000009
【図８】
2017182363.tif 000010
【図９】
2017182363.tif 000011
【図１０】
2017182363.tif 000012
【図１１】
2017182363.tif 000013
【図１２】
2017182363.tif 000014
【図１３】
2017182363.tif 000015
【図１４】
2017182363.tif 000016